(57)【要約】【課題】  構造を簡易にしながら、操作性に優れたカセット装着装置を備えた記録再生装置を提供することを目的とする。【解決手段】  記録媒体を収納したカセットを使用する記録再生装置１０は、カセット２０を保持するホルダー１と、ホルダー１に挿入したカセット２０を第１の位置に移動させる格納機構と、ホルダー１をスライドさせて第２の位置まで移動させるスライド機構とから成るカセット装着装置３０と、カセット装着装置３０を覆い隠すことのできる開閉自在で、カセットホルダー１を第１の位置に格納した状態において、閉じることができるカセット蓋３とを備え、カセット蓋３の閉じ動作に伴って、カセットホルダー１をカセット装着装置３０の第１の位置まで移動可能にした。【選択図】  図２
2007073085.tif 000002
【特許請求の範囲】
【請求項１】
記録媒体を収納したカセットを保持するカセットホルダーと、該カセットホルダーを格納する格納手段と、前記カセットホルダーを格納した第１の位置から第２の位置までスライドさせるスライド手段とを備えたカセット装着装置と、
前記カセット装着装置を覆い隠すことができ、前記格納手段によって前記カセットホルダーを格納した第１の位置において閉じることができるように開閉自在に構成されたカセット蓋とを備えた記録再生装置であって、
前記カセット蓋の内側に弾性支持された押圧部を備え、前記カセット蓋の閉じ動作に伴って、前記押圧部が前記カセットホルダーを押圧することにより、前記カセットホルダーを前記第１の位置に格納することを特徴とする記録再生装置。
【請求項２】
前記カセットホルダーが少なくとも前記第２の位置に到達したとき、前記カセットホルダーが前記押圧部から離脱し、前記カセットホルダーに対する前記押圧部の付勢力が解除されることを特徴とする請求項１に記載の記録再生装置。
【請求項３】
前記カセットホルダーはその所定の部位に前記押圧部と当接可能な突状部を有し、前記カセットホルダーが前記スライド手段によって前記第２の位置まで移動するスライド過程において、前記突状部に対する前記押圧部の付勢力が徐々に弱まることを特徴とする請求項１または２に記載の記録再生装置。
【請求項４】
前記押圧部の材質特有の摩擦係数と、前記突状部と前記押圧部の摺接状態から生ずる付勢力とから決定される摺動摩擦力が、前記スライド手段の前記カセットホルダーをスライドさせる力よりも小さいことを特徴とする請求項３に記載の記録再生装置。
【請求項５】
前記カセット装着装置を記録再生装置の一面に対し、やや斜めに傾斜配置することで前記突状部に対する対する前記押圧部の付勢力が徐々に弱まることを特徴とする請求項３または４に記載の記録再生装置。
【発明の詳細な説明】
【技術分野】
【０００１】
本発明は、記録媒体を収納したカセットのカセット装着装置を備えた記録再生装置に関する。
【背景技術】
【０００２】
従来の、記録媒体を収納したカセットを使用する一般的な家庭用のデジタルビデオカメラ等の記録再生装置においては、記録再生装置を小型化するために、カセット装着装置を備え、カセット装着装置内のカセットを保持するカセットホルダーを、“カセットホルダーを移動させた第１の位置”、“カセットホルダーをスライドさせた第２の位置”と二段階で変位可能に構成されたものがある。
【０００３】
上述したようなカセット装着装置は、記録再生装置の内部に配置され、記録再生装置の筐体に開閉自在に設置されたカセット蓋を開けることに伴って、カセット装着装置内のカセットホルダーが記録再生装置より突出した状態となる。その状態において、カセットをカセットホルダーに装着し、カセットホルダーが記録再生装置側へ押されることにより第１の位置に到達する。さらに、第１の位置から第２の位置にスライドすることでカセットが記録再生装置内部に収納される。このような構成とすることで、一般的な記録再生装置は、使用状態のコンパクトな筐体を実現している。
【０００４】
また、このような小型化の要求のあるカセット装着装置を備えた記録再生装置の場合、カセットホルダーが第２の位置にスライドし終わるまで、カセット蓋を閉じることが出来ず、無理やりカセット蓋を閉じるとカセット装着装置を故障させる恐れがある。
【０００５】
一方、業務用及びそれに近い用途を目的とした記録再生装置においては、筐体の小型化がさほど求められておらず、信頼性や速操作性を第一優先に設計されている。そのため、これら業務用の記録再生装置においては、第１の位置に到達した状態及び第２の位置への変位過程のどの位置においても、カセット装着装置をカバーするカセット蓋を閉めることができるように構成されている。
【０００６】
上述したような従来の業務用のカセット装着装置を備えた記録再生装置について、図５〜８において、撮像装置を例にとって説明する。図５において、カセット装着装置を備えた記録再生装置の概略構成を説明する。２００は記録再生が可能な撮像装置本体を示し、２１１は表示装置、２１２は撮像レンズである。撮像レンズ２１２を通して撮影された映像や記録媒体に記録された映像は、表示装置２１１において、表示することができる。また、１０１は記録媒体を収納したカセットであり、２０３は撮像装置２００の閉口時筐体の一部を構成し、カセット装着装置２０４を覆うことのできる開閉可能なカセット蓋である。図５において、カセット蓋２０３は撮像装置２００に対して開かれた状態を示している。
【０００７】
２０５は、カセット１０１を保持するカセットホルダーであり、カセット蓋２０３を開けることによって突出状態となる。２０６はカセットホルダー２０５の所定の位置に取り付けられたホルダーカバーであり、２１０は撮像装置２００を使用する使用者を示す。
【０００８】
使用者２１０がカセット１０１を撮像装置２００に装着しようとする場合は、カセット１０１を矢印Aの方向にカセットホルダー２０５に挿入する。図６は、カセット１０１がカセットホルダー２０５に挿入された状態を示している。
【０００９】
図７は、カセット装着装置２０４が第１の位置に到達した様子を示している。使用者は、図６の状態から図７に示す矢印Bの方向にホルダーカバー２０６を押し、カセット１０１をカセット装着装置２０４の第１の位置に移動させる。なお、第１の位置にカセットホルダー２０５が到達した時点でカセット蓋２０３を閉じることができる。
さらに、第１の位置にカセット装着装置が到達すると、カセット装着装置２０４は不図示のDCモータによってカセット１０１を矢印Gの方向にスライドさせ、カセットホルダー２０５が第２の位置に到達する。
【００１０】
最終的に使用者は、図８に示す矢印Hの方向にカセット蓋２０３を回動させて筐体に収まるように閉じ、カセット１０１の撮像装置２００への装着が完了する。
【００１１】
また、特許文献１には、カセット装着装置の構成として、内外二重に構成されたカセットホルダーを持ち、特に外側のカセットホルダーが装置の筐体の一部をなすカセット装着装置が提案されている。また、非特許文献１には、カセット蓋（文献中ではカセットカバーと表記）の内側に突起部を設け、この突起部でカセットホルダー（文献中では“PUSH”マークの入った部材）を押すことによりカセットホルダーをカセット装着装置の前記第１の位置に移動させることが可能なものもある。
【００１２】
【特許文献１】特公平６−４０４０８号公報
【非特許文献１】「ソニー（株）  HDR−FX１  取扱説明書」  P８  早分かりガイド“撮影する”項−２
【発明の開示】
【発明が解決しようとする課題】
【００１３】
前述した業務用の従来のカセット装着装置を備えた撮像装置におけるカセット装着装置の構成では、カセットをカセット装着装置に装着するのに、カセットホルダーをカセット装着装置の第１の位置に移動させてからカセット蓋を閉じるという２操作が必要なため、速操作性を考慮すると、手間となり操作性が劣る。
【００１４】
また、非特許文献１の構成では、カセット蓋の閉じ動作によって、カセット蓋の内側の突起部がカセットホルダーを押すことでカセット装着装置の第１の位置に移動させることができるが、そのままカセット蓋を閉じる事ができない。そのため、結果として２度閉じる動作を行うため手間となり、速操作性を考慮すると操作性が必ずしも優れているとは言い難い。
【００１５】
さらに非特許文献１の構成では、前述したようにカセット蓋の閉じ動作によって、カセット装着装置の第１の位置に移動させた後、カセット蓋を誤ってさらにカセット蓋を閉じる方向に力を加えた場合、上記突起部とカセットホルダーとが接触し、突起部とカセットホルダーとの間の摺動摩擦力がカセットホルダーをスライドさせる力より大きくなり、カセットホルダーをカセット装着装置の第２の位置にスライド移動できない場合がある。このような不具合が発生する可能性があり、非特許文献１の構成は操作性が必ずしも良いとは言い難い。
【００１６】
また、特許文献１においては、２重のカセットホルダーを必要とするため、カセット装着装置の構造が複雑になり、部品点数も増えるためコストアップの要因となり得る。
【００１７】
本発明は係る実情に鑑み、構造を簡易にしながら、操作性に優れたカセット装着装置を備えた記録再生装置を提供することを目的とする。
【課題を解決するための手段】
【００１８】
本発明は、記録媒体を収納したカセットを保持するカセットホルダーと、該カセットホルダーを格納する格納手段と、前記カセットホルダーを格納した第１の位置から第２の位置までスライドさせるスライド手段とを備えたカセット装着装置と、前記カセット装着装置を覆い隠すことができ、前記格納手段によって前記カセットホルダーを格納した第１の位置において閉じることができるように開閉自在に構成されたカセット蓋とを備えた記録再生装置であって、前記カセット蓋の内側に弾性支持された押圧部を備えることで、前記カセット蓋の閉じ動作に伴って、前記押圧部が前記カセットホルダーを押圧することにより、前記カセットホルダーを前記第１の位置に格納することを特徴とする。
【発明の効果】
【００１９】
カセットをカセット装着装置に装着する際、カセット蓋の閉じ操作でカセットホルダーをカセット装着装置の第１の位置まで移動させることが可能であり、また、カセットホルダーをカセット装着装置の第１の位置に移動した後、そのままカセット蓋を閉じることができるため記録再生装置の操作性が向上する。
【発明を実施するための最良の形態】
【００２０】
以下、図面に基づき、本発明に係る記録再生装置のカセット装着装置の好適な実施の形態を説明する。図１〜４は、本実施の形態に係るカセット装着装置３０の断面を示す図であり、また、動作の様子を示している。
【００２１】
まず、図１を用いて、本発明に係る記録再生装置本体１０内部に設置されたカセット装着装置３０の概略構成を説明する。カセット装着装置３０は記録再生装置本体１０の一面に対して、やや斜めに配置される。１はカセット装着装置３０に取り付けられ、矢印A方向に挿入されるカセット２０を保持するカセットホルダーである。２はカセットホルダー１に装着されたホルダーカバーであり、記録再生装置本体１０に対し外側の面に装着される。また、ホルダーカバー２は後述するカセット蓋３側に突出する突状部２ａを有し、突状部２ａの少なくとも突端はエッジ形状を持たないように丸みをおびて形成されている。
【００２２】
３は、カセット装着装置３０を覆うカセット蓋である。カセット蓋３は、記録再生装置本体１０に設けられた支点５を中心に、回動自在に軸支されたカセットアーム４の端部に固定されている。また、カセット蓋３の内側端部付近にはロック部材６が設けられ、カセット蓋３が支点５を中心に矢印C方向に回動すると、記録再生装置本体１０に設置されたロックピン７とロック部材６とが嵌合し、記録再生装置本体１０に対して閉じた状態で保持する（図３）。
【００２３】
また、カセット装着装置３０は、カセットホルダー１をＸ型のリンク機構等（図示せず）で第１の位置に格納する格納機構８と、第１の位置から第２の位置にDCモーター等（図示せず）でスライドさせるスライド機構９を有し、カセットホルダー１を記録再生装置本体１０の内部に収納することで、筐体の小型化を図っている。
【００２４】
また、１１は摺接部品（押圧部品）であり、摩擦抵抗の小さい材質で成型される。摺接部品１１は相手部品の突状部２ａと接触する部位の表面が樹脂コーティング等によりさらに摩擦抵抗を小さく抑えている。１２は矢印D方向に常に付勢する板バネであり、摺接部品１１は板バネ１２に固定され、板バネ１２はカセット蓋３の内側に取り付けられている。詳細は後述するが、カセットホルダー１がスライド機構９によって第１の位置から第２の位置へスライドされる過程において、突状部２ａと摺接部品１１とが接触しながらスライドする。このとき、摺接部品１１の摩擦係数と板バネ１２の弾性力とから決定される摺動摩擦力は、第１の位置から第２の位置までスライドさせるために要するスライド力よりも小さくなるように設定される。
【００２５】
次に、図１〜４を用いて、カセット装着装置３０の動作の様子を説明する。
図１は、カセット蓋３を開き、記録再生装置本体１０の側面からカセットホルダー１が突出した状態であり、この状態のとき使用者はカセット２０を矢印Aの方向へカセットホルダー１に挿入する。その後、使用者はカセット蓋３を矢印C方向に回動させる。
【００２６】
図２は、カセット蓋３を矢印C方向に回動させ、カセット蓋３の内側に取り付けられた摺接部品１１がホルダーカバー２の突状部２ａと接触する様子を示している。カセット蓋３をさらに回動させ続けると、板バネ１２によって付勢された摺接部品１１が突状部２ａを押すことになり、結果的にカセットホルダー１をB方向に押し込む事となる。また、このとき格納機構８のリンク機構も押し込まれることに伴い、収縮される。
【００２７】
図３は、カセットホルダー１が格納機構８によって格納された第１の位置に到達した様子及びカセット蓋３が閉じた状態を示している。図２の状態からB方向にカセットホルダー１が押し込まれ、第１の位置に到達するとカセットホルダー１は格納状態にセットされる。また、ほぼ同時にロック部材６がロックピン７と嵌合し、カセット蓋３も閉じた状態となる。
【００２８】
図４は、カセットホルダー１が第２の位置にスライドした様子を示している。図３において、第１の位置に到達し、カセットホルダー１は、スライド機構９の作動に伴い、第１の位置から第２の位置へとスライドを始める。このとき、突起部２ａと摺接部品１１は摺動しながらカセット装着装置３０の第２の位置までスライドし、カセット２０の装着完了となる。前述したように摺接部品１１は摩擦抵抗の小さい材質で成型され、さらに、突起部２ａとの接触部位の表面を樹脂コーティングがされ摩擦抵抗を小さく抑えている。さらに、摺接部品１１の摩擦係数と板バネ１２の弾性力とから決定される摺動摩擦力が第１の位置から第２の位置にカセットホルダー１をスライドさせるために要するスライド力よりも小さく設定されるため、スムースに第２の位置までスライドされる。
【００２９】
また、上述の第１の位置から第２の位置へのスライド過程における摺接部品１１の摺接ストロークの途中で、突状部２ａが摺接部品より離脱する。またこの場合、離脱手前で摺接部品１１はテーパー状に薄肉に形成され、また、カセット装着装置３０を記録再生装置本体１０の一面に対してやや斜めに配置する。このように構成することで、突起部２ａは摺接部品１１を弾性支持する板バネ１２からの付勢力が徐々に弱まるようにスライドされる。最終的に摺接部品１１は摺接ストローク途中において、突状部２ａと完全に接触がなくなり、板バネ１２は自由状態となり、摺接部品１１が突状部２ａに付勢力を与えなくなるように構成されている（図４）。
また、上述の摺接部品１１をテーパー状に薄肉にすることで、カセット蓋３を開き、カセットホルダー１が第２の位置から第１の位置に移動する際においても、スムースなスライドを可能とする。
【００３０】
以上のように、カセット２０をカセット装着装置３０に装着する際、カセット蓋３を閉じるという一度の操作だけでカセットホルダー１をカセット装着装置３０の第１の位置まで移動させることが可能なため記録再生装置の操作性が向上する。
【００３１】
また、カセットホルダー１をカセット装着装置３０の第１の位置に移動した後、そのままカセット蓋３を閉じることが可能なため操作性が向上する。
【００３２】
さらに、カセット蓋３を閉じた後に、カセット蓋３に不要な力を加えても、摺接部品１１と突状部２ａとの摺動摩擦抵抗が小さくスライド機構９のスライド力よりも小さく抑え、また、カセット装着装置３０を記録再生装置本体１０の一面に対しやや斜めに配置することで、板バネ１２からの付勢力が徐々に軽減し、カセットホルダー１がスムースに第２の位置にスライドされる。
【００３３】
また、特許文献１のようにカセットホルダーを２重にする必要が無く、構造的に簡易的なので部品点数削減が可能でコストダウンが図れる。
【００３４】
また、本発明の実施の形態において用いた弾性支持部材としての板バネ１２はゴムやスプリング等を用いても同様の効果が得られる。
【図面の簡単な説明】
【００３５】
【図１】本発明の実施の形態に係るカセット装着装置の断面図である。
【図２】本発明の実施の形態に係るカセット装着装置の断面図である。
【図３】本発明の実施の形態に係るカセット装着装置の断面図である。
【図４】本発明の実施の形態に係るカセット装着装置の断面図である。
【図５】従来のカセット装着装置の機構を示す図である。
【図６】従来のカセット装着装置の機構を示す図である。
【図７】従来のカセット装着装置の機構を示す図である。
【図８】従来のカセット装着装置の機構を示す図である。
【符号の説明】
【００３６】
１  カセットホルダー
２  ホルダーカバー
３  カセット蓋
４  カセットアーム
５  支点
６  ロック部材
７  ロックピン
８  格納機構
９  スライド機構
１０  記録再生装置本体
１１  摺接部品
１２  弾機部材
２０  カセット
３０  カセット装着装置
【図１】
2007073085.tif 000003
【図２】
2007073085.tif 000004
【図３】
2007073085.tif 000005
【図４】
2007073085.tif 000006
【図５】
2007073085.tif 000007
【図６】
2007073085.tif 000008
【図７】
2007073085.tif 000009
【図８】
2007073085.tif 000010